(57)【要約】【課題】  ユーザの所望する番組情報を容易に表示する。【解決手段】  テレビの制御部によって、ユーザが放送を視聴可能な視聴可能時間帯の入力が受付けられ（Ｓ１３，１４）、受付けられた視聴可能時間帯が記憶され（Ｓ１５）、記憶された視聴可能時間帯のユーザの視聴予定番組が記憶され（Ｓ３０，Ｓ４０）、記憶された視聴可能時間帯のいずれかに現在時刻が含まれるか否かが判断され（Ｓ５２）、含まれると判断された場合、記憶された視聴予定番組のうち現在時刻を含む視聴可能時間帯の視聴予定番組を示す情報が表示される（Ｓ５３）。現在時刻から予め定められた時間内の番組を示す情報が抽出され（Ｓ５４）、視聴可能時間帯のいずれにも現在時刻が含まれないと判断された場合、抽出された情報が表示される（Ｓ５６）。記憶された視聴予定番組のうちいずれかが開始する所定時間前に、この視聴予定番組が開始する旨がユーザに報知される（Ｓ６１，６２）。【選択図】        図２
2006217153.tif 000002
【特許請求の範囲】
【請求項１】
ユーザが放送を視聴可能な視聴可能時間帯の入力を受付ける視聴可能時間帯入力受付手段と、
前記視聴可能時間帯入力受付手段によって受付けられた視聴可能時間帯を記憶する視聴可能時間帯記憶手段と、
視聴番組自動設定モードと視聴番組手動設定モードとを切替えるモード切替手段と、
前記視聴可能時間帯記憶手段に記憶された視聴可能時間帯に含まれる番組を示す情報を抽出する視聴可能時間帯番組情報抽出手段と、
前記モード切替手段によって前記視聴番組自動設定モードに切替えられているときに、前記視聴可能時間帯番組情報抽出手段によって抽出された情報で示される番組のうちから所定条件を満たす所定条件番組情報を抽出する所定条件番組情報抽出手段と、
前記モード切替手段によって前記視聴番組手動設定モードに切替えられているときに、前記視聴可能時間帯番組情報抽出手段によって抽出された情報を表示させる視聴可能時間帯番組情報表示制御手段と、
前記視聴可能時間帯番組情報表示制御手段によって表示された情報で示される番組のうちからユーザの視聴予定の番組の入力を受付ける視聴予定番組入力受付手段と、
前記所定条件番組情報抽出手段によって抽出された所定条件番組情報で示される番組、または、前記視聴予定番組入力受付手段によって受付けられた番組を視聴予定番組として記憶する視聴予定番組記憶手段と、
前記視聴可能時間帯記憶手段に記憶された視聴可能時間帯のいずれかに現在時刻が含まれるか否かを判断する視聴可能時間帯判断手段と、
前記視聴可能時間帯判断手段によって前記視聴可能時間帯のいずれかに現在時刻が含まれると判断された場合、前記視聴予定番組記憶手段に記憶された視聴予定番組のうち現在時刻を含む視聴可能時間帯の視聴予定番組を示す情報を表示させる視聴予定番組情報表示制御手段と、
前記視聴可能時間帯判断手段によって現在時刻が前記視聴可能時間帯に含まれると判断された場合、前記視聴予定番組記憶手段に記憶された視聴予定番組のうち現在時刻を含む視聴可能時間帯の視聴予定番組を示す情報を表示させる視聴予定番組情報表示制御手段と、
現在時刻から所定時間内の番組を示す情報を抽出する所定時間番組情報抽出手段と、
前記視聴可能時間帯判断手段によって現在時刻が前記視聴可能時間帯に含まれないと判断された場合、前記所定時間番組情報抽出手段によって抽出された情報を表示させる所定時間番組情報表示制御手段と、
前記視聴予定番組記憶手段に記憶された視聴予定番組のうちいずれかが開始する所定時間前に、該視聴予定番組が開始する旨の情報を表示させる視聴予定番組開始表示制御手段と、
前記視聴可能時間帯番組情報表示制御手段、前記視聴予定番組情報表示制御手段、前記所定時間番組情報表示制御手段、または、前記視聴予定番組開始表示制御手段が表示させる情報、および、放送を表示する表示手段とを備える、放送受像装置。
【請求項２】
ユーザが放送を視聴可能な視聴可能時間帯の入力を受付ける視聴可能時間帯入力受付手段と、
前記視聴可能時間帯入力受付手段によって受付けられた視聴可能時間帯を記憶する視聴可能時間帯記憶手段と、
前記視聴可能時間帯記憶手段に記憶された視聴可能時間帯のユーザの視聴予定番組を記憶する視聴予定番組記憶手段と、
前記視聴可能時間帯記憶手段に記憶された視聴可能時間帯のいずれかに現在時刻が含まれるか否かを判断する視聴可能時間帯判断手段と、
前記視聴可能時間帯判断手段によって前記視聴可能時間帯のいずれかに現在時刻が含まれると判断された場合、前記視聴予定番組記憶手段に記憶された視聴予定番組のうち現在時刻を含む視聴可能時間帯の視聴予定番組を示す情報を表示させる視聴予定番組情報表示制御手段とを備える、放送受信制御装置。
【請求項３】
現在時刻から予め定められた時間内の番組を示す情報を抽出する所定時間番組情報抽出手段と、
前記視聴可能時間帯判断手段によって前記視聴可能時間帯のいずれにも現在時刻が含まれないと判断された場合、前記所定時間番組情報抽出手段によって抽出された情報を表示させる所定時間番組情報表示制御手段とをさらに備える、請求項２に記載の放送受信制御装置。
【請求項４】
前記視聴可能時間帯記憶手段に記憶された視聴可能時間帯に含まれる番組を示す情報を抽出する視聴可能時間帯番組情報抽出手段と、
前記視聴可能時間帯番組情報抽出手段によって抽出された情報を表示させる視聴可能時間帯番組情報表示制御手段と、
前記視聴可能時間帯番組情報表示制御手段によって表示された情報で示される番組のうちからユーザの視聴予定の番組の入力を受付ける視聴予定番組入力受付手段とをさらに備え、
前記視聴予定番組記憶手段は、前記視聴予定番組入力受付手段によって受付けられた番組を前記視聴予定番組として記憶する、請求項２に記載の放送受信制御装置。
【請求項５】
前記視聴可能時間帯記憶手段に記憶された視聴可能時間帯に含まれる番組を示す視聴可能時間帯番組情報を抽出する視聴可能時間帯番組情報抽出手段と、
前記視聴可能時間帯番組情報抽出手段によって抽出された視聴可能時間帯番組情報で示される番組のうちから所定条件を満たす所定条件番組情報を抽出する所定条件番組情報抽出手段とをさらに備え、
前記視聴予定番組記憶手段は、前記所定条件番組情報抽出手段によって抽出された所定条件番組情報で示される番組を前記視聴予定番組として記憶する、請求項２に記載の放送受信制御装置。
【請求項６】
前記視聴予定番組記憶手段に記憶された視聴予定番組のうちいずれかが開始する所定時間前に、該視聴予定番組が開始する旨をユーザに報知させる視聴予定番組開始報知制御手段をさらに備える、請求項２から請求項５のいずれかに記載の放送受信制御装置。
【請求項７】
請求項２から請求項６までのいずれかに記載の放送受信制御装置と、前記表示させる情報および放送を出力する出力手段とを備える、放送受信装置。
【請求項８】
請求項２から請求項６までのいずれかに記載の放送受信制御装置と、前記表示させる情報および放送を表示する表示手段とを備える、放送受像装置。
【請求項９】
請求項２から請求項６までのいずれかに記載の放送受信制御装置と、前記表示させる情報および放送を出力する出力手段とを備える、放送録画装置。
【発明の詳細な説明】
【技術分野】
【０００１】
本発明は、放送受像装置、放送受信制御装置、放送受信装置、放送録画装置に関し、特に、番組情報を表示するのに適した放送受像装置、放送受信制御装置、放送受信装置、放送録画装置に関する。
【背景技術】
【０００２】
近年、テレビ放送電波や、インターネットや、ケーブルテレビ（Community Antenna TeleVision、以下「ＣＡＴＶ」という）のケーブルを介して受信されるテレビ放送の番組表の情報を送信し、テレビの画面に表示させたり、ビデオの予約に用いたりするシステムである電子番組ガイド（Electronic Program Guide、以下「ＥＰＧ」という）が普及しつつある。
【０００３】
このようなＥＰＧによる番組表を表示するものとして、ディジタル放送受信機に用いられ、任意の時間帯を設定登録しておき、指定された時間帯の番組案内画面を作成表示する番組案内表示装置や方法がある（たとえば、特許文献１の第００１１段落参照）。
【０００４】
この番組案内表示装置や方法によれば、ユーザは予め登録した所望の時間帯の番組案内をダイレクトに選択して表示することができるようになる。
【特許文献１】特開平１１−３１３２６５号公報
【特許文献２】特開２００３−３２５６１号公報
【発明の開示】
【発明が解決しようとする課題】
【０００５】
しかし、従来の装置では、ユーザは、番組案内を表示する際に、常に時間帯を選択する必要があった。このため、ユーザの所望する番組情報を表示する際に、少なくとも１回の選択操作をしなければならないといった問題があった。
【０００６】
この発明は上述した問題点を解決するためになされたもので、この発明の目的の１つは、ユーザの所望する番組情報を容易に表示することが可能な放送受像装置、放送受信制御装置、放送受信装置、および、放送録画装置を提供することである。
【課題を解決するための手段】
【０００７】
上述した課題を解決するために、この発明のある局面に従えば、放送受像装置、放送受信装置、および、放送録画装置に備えられる放送受信制御装置は、視聴可能時間帯入力受付部と、視聴可能時間帯記憶部と、視聴予定番組記憶部と、視聴可能時間帯判断部と、視聴予定番組情報表示制御部とを備える。
【０００８】
視聴可能時間帯入力受付部は、ユーザが放送を視聴可能な視聴可能時間帯の入力を受付ける。視聴可能時間帯記憶部は、視聴可能時間帯入力受付部によって受付けられた視聴可能時間帯を記憶する。視聴予定番組記憶部は、視聴可能時間帯記憶部に記憶された視聴可能時間帯のユーザの視聴予定番組を記憶する。
【０００９】
視聴可能時間帯判断部は、視聴可能時間帯記憶部に記憶された視聴可能時間帯のいずれかに現在時刻が含まれるか否かを判断する。視聴予定番組情報表示制御部は、視聴可能時間帯判断部によって視聴可能時間帯のいずれかに現在時刻が含まれると判断された場合、視聴予定番組記憶部に記憶された視聴予定番組のうち現在時刻を含む視聴可能時間帯の視聴予定番組を示す情報を表示させる。
【００１０】
好ましくは、放送受信制御装置は、所定時間番組情報抽出部と、所定時間番組情報表示制御部とをさらに備える。所定時間番組情報抽出部は、現在時刻から予め定められた時間内の番組を示す情報を抽出する。所定時間番組情報表示制御部は、視聴可能時間帯判断部によって視聴可能時間帯のいずれにも現在時刻が含まれないと判断された場合、所定時間番組情報抽出部によって抽出された情報を表示させる。
【００１１】
好ましくは、放送受信制御装置は、視聴可能時間帯番組情報抽出部と、視聴可能時間帯番組情報表示制御部と、視聴予定番組入力受付部とをさらに備える。視聴可能時間帯番組情報抽出部は、視聴可能時間帯記憶部に記憶された視聴可能時間帯に含まれる番組を示す情報を抽出する。
【００１２】
視聴可能時間帯番組情報表示制御部は、視聴可能時間帯番組情報抽出部によって抽出された情報を表示させる。視聴予定番組入力受付部は、視聴可能時間帯番組情報表示制御部によって表示された情報で示される番組のうちからユーザの視聴予定の番組の入力を受付ける。また、視聴予定番組記憶部は、視聴予定番組入力受付部によって受付けられた番組を視聴予定番組として記憶する。
【００１３】
好ましくは、放送受信制御装置は、視聴可能時間帯番組情報抽出部と、所定条件番組情報抽出部とをさらに備える。視聴可能時間帯番組情報抽出部は、視聴可能時間帯記憶部に記憶された視聴可能時間帯に含まれる番組を示す視聴可能時間帯番組情報を抽出する。
【００１４】
所定条件番組情報抽出部は、視聴可能時間帯番組情報抽出部によって抽出された視聴可能時間帯番組情報で示される番組のうちから所定条件を満たす所定条件番組情報を抽出する。また、視聴予定番組記憶部は、所定条件番組情報抽出部によって抽出された所定条件番組情報で示される番組を視聴予定番組として記憶する。
【００１５】
好ましくは、放送受信制御装置は、視聴予定番組記憶部に記憶された視聴予定番組のうちいずれかが開始する所定時間前に、この視聴予定番組が開始する旨をユーザに報知させる視聴予定番組開始報知制御部をさらに備える。
【００１６】
好ましくは、放送受信装置は、放送受信制御装置と、表示させる情報および放送を出力する出力部とを備える。
【００１７】
好ましくは、放送受像装置は、放送受信制御装置と、表示させる情報および放送を表示する表示部とを備える。
【００１８】
好ましくは、放送録画装置は、放送受信制御装置と、表示させる情報および放送を出力する出力部とを備える。
【発明の効果】
【００１９】
この発明に従えば、放送受信制御装置によって、ユーザが放送を視聴可能な視聴可能時間帯の入力が受付けられ、受付けられた視聴可能時間帯が記憶され、記憶された視聴可能時間帯のユーザの視聴予定番組が記憶され、記憶された視聴可能時間帯のいずれかに現在時刻が含まれるか否かが判断され、含まれると判断された場合、記憶された視聴予定番組のうち現在時刻を含む視聴可能時間帯の視聴予定番組を示す情報が表示される。
【００２０】
このため、放送受信制御装置によって、ユーザが放送を視聴可能な視聴可能時間帯のいずれかに現在時刻が含まれる場合、予め記憶された視聴予定番組のうち現在時刻を含む視聴可能時間帯の視聴予定番組を示す情報が表示される。その結果、ユーザの所望する番組情報を容易に表示することが可能な放送受信制御装置を提供することができる。
【００２１】
また、放送受信制御装置によって、現在時刻から予め定められた時間内の番組を示す情報が抽出され、視聴可能時間帯のいずれにも現在時刻が含まれないと判断された場合、抽出された情報が表示される。
【００２２】
このため、放送受信制御装置によって、ユーザが放送を視聴可能な視聴可能時間帯のいずれにも現在時刻が含まれない場合、現在時刻から予め定められた時間内の番組を示す情報が表示される。視聴可能時間帯以外の時間帯は、ユーザが特に番組を視聴する予定がなかった時間帯である。このような場合は、視聴する番組を決定するために、ユーザは現在時刻から適当な時間内の番組を示す情報を所望する。したがって、予め入力した視聴可能時間帯のいずれにも現在時刻が含まれない場合であっても、放送受信制御装置によって、ユーザの所望する番組情報を容易に表示させることができる。
【００２３】
また、放送受信制御装置によって、記憶された視聴可能時間帯に含まれる番組を示す情報が抽出され、抽出された情報が表示され、表示された情報で示される番組のうちからユーザの視聴予定の番組の入力が受付けられ、受付けられた番組が視聴予定番組として記憶される。
【００２４】
このため、ユーザは、全番組でなくて、視聴可能時間帯に含まれる番組のうちから視聴予定の番組を入力することができる。その結果、放送受信制御装置によって、効率よく視聴予定番組を記憶させることができる。
【００２５】
また、放送受信制御装置によって、記憶された視聴可能時間帯に含まれる番組を示す視聴可能時間帯番組情報が抽出され、抽出された視聴可能時間帯番組情報で示される番組のうちから所定条件を満たす所定条件番組情報が抽出され、抽出された所定条件番組情報で示される番組が視聴予定番組として記憶される。
【００２６】
このため、所定条件を予め定めておくことで、放送受信制御装置によって、自動的に視聴予定番組が記憶される。その結果、放送受信制御装置によって、効率よく視聴予定番組を記憶させることができる。
【００２７】
また、放送受信制御装置によって、記憶された視聴予定番組のうちいずれかが開始する所定時間前に、この視聴予定番組が開始する旨がユーザに報知される。
【００２８】
このため、ユーザは、視聴予定番組が所定時間後に開始することを知ることができる。その結果、放送受信制御装置によって、ユーザが所望する番組が開始することを容易に知らせることができる。
【００２９】
また、放送受信装置および放送録画装置によって、放送受信制御装置が表示させる情報および放送が出力される。また、放送受像装置によって、放送受信制御装置が表示させる情報および放送が表示される。
【００３０】
このため、ユーザの所望する番組情報を容易に表示することが可能な放送受信装置、放送録画装置、および、放送受像装置を提供することができる。また、放送受信装置、放送録画装置、および、放送受像装置によって、上述した放送受信制御装置による効果が奏される。
【発明を実施するための最良の形態】
【００３１】
以下、この発明の実施の形態について、図面を参照しながら詳細に説明する。なお、図中の同一または相当部分については、同一符号を付してその説明は繰返さない。
【００３２】
図１は、この発明の実施の形態に従うテレビ１の構成の概略を示すブロック図である。
【００３３】
図１を参照して、この発明の実施の形態に従う放送受像装置であるテレビ１は、アンテナ３０から放送信号を受信する。また、テレビ１は、リモコン４２から指令信号を受信する。リモコン４２は、周知であるので詳細な説明は省略する。
【００３４】
テレビ１は、制御部１０と、チューナ１６と、復調器２０、ＯＳＤ（On Screen Display）回路２１と、映像合成部２３と、リモコン受信部２６と、モニタ４０と、スピーカ５０とを含む。
【００３５】
制御部１０は、プログラムを実行するＣＰＵ（Central Processing Unit）１０ａと、
実行されるプログラム、プログラム実行中のデータ、およびプログラム実行結果のデータを記憶するメモリ１０ｂとからなる。
【００３６】
チューナ１６は、受信した放送信号の中から、制御部１０からの指令に応じて選択されたチャンネルに対応する放送信号を抽出する。そして、チューナ１６は、復調器２０へ放送信号を出力する。
【００３７】
復調器２０は、チューナ１６から放送信号を受けて、映像信号および音声信号に復調する。そして、復調器２０は、復調された音声信号をモニタ４０へ出力する。また、復調器２０は、復調された映像信号を映像合成部２３へ出力する。さらに、復調器２０は、放送信号に含まれるＥＰＧデータなどのデータ信号を抽出して、そのデータ信号を制御部１０へ出力する。制御部１０は、復調器２０からのＥＰＧデータをメモリ１０ｂに記憶させる。
【００３８】
この実施の形態における放送信号は、データ多重放送の放送信号である。データ多重放送とは、アナログ放送信号にデータ信号を挿入して、放送とともにデータを送信するものである。垂直帰線消去期間（Vertical Blanking Interval、ＶＢＩ）を使用するデータ多重放送の伝送方式をＶＢＩ方式という。音声信号副搬送波（Audio Subcarrier Channel、ＡＳＣ）を使用するデータ多重放送の伝送方式をＡＳＣ方式という。この実施の形態においては、データ多重放送の伝送方式はいずれであってもよい。
【００３９】
また、放送信号は、アナログ放送信号に限定されず、デジタル放送信号であってもよい。デジタル放送信号の場合は、テレビ１は、デジタル復調器を備えればよい。そして、デジタル復調器が、放送信号に含まれるＥＰＧデータなどのデータ信号を抽出して、そのデータ信号を制御部１０へ出力する。制御部１０は、復調器２０からのＥＰＧデータをメモリ１０ｂに記憶させる。
【００４０】
ＯＳＤ回路２１は、制御部１０からの指令に応じて、モニタ４０の画面上に情報を表示するためのＯＳＤ信号を生成して、映像合成部２３へ出力する。この実施の形態においては、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００４１】
映像合成部２３は、復調器２０から受けた映像信号で示される映像に、ＯＳＤ回路２１から受けたＯＳＤ信号で示される映像を重畳させる。そして、映像合成部２３は、重畳された映像を示す映像信号をモニタ４０へ出力する。
【００４２】
リモコン受信部２６は、リモコン４２からの指令信号を受信して制御部１０へ出力する。ユーザは、所望の動作を行わせるためリモコン４２を用いて、指令信号を送信する。
【００４３】
モニタ４０は、映像合成部２３から受けた映像信号により示される放送およびＯＳＤ表示の映像を表示する。スピーカ５０は、復調器２０から受けた音声信号を増幅して音声として出力する。
【００４４】
図２は、この発明の実施の形態に従う視聴予定番組登録表示処理の流れを示すフローチャートである。
【００４５】
図２を参照して、この視聴予定番組登録表示処理は、この実施の形態におけるテレビ１の制御部１０によって実行される処理である。
【００４６】
まず、制御部１０は、視聴可能時間帯が設定済みか否かを判断する（ステップＳ１１）。視聴可能時間帯とは、テレビ１のユーザが放送を視聴できる時間帯をいい、たとえば、通常、ユーザが自宅に滞在しており、かつ、起床している時間帯である。
【００４７】
視聴可能時間帯が設定済みであると判断した場合（ステップＳ１１においてＹＥＳの場合）、制御部１０は、リモコン４２の「時間帯設定」キーが操作されたか否かを判断する（ステップＳ１２）。「時間帯設定」キーが操作されていないと判断した場合（ステップＳ１２においてＮＯの場合）、制御部１０は、実行する処理をステップＳ２１の処理に進める。
【００４８】
視聴可能時間帯が設定済みでないと判断した場合（ステップＳ１１においてＮＯの場合）、または、「時間帯設定」キーが操作されたと判断した場合（ステップＳ１２においてＹＥＳの場合）、制御部１０は、視聴可能時間帯設定画面を表示するようＯＳＤ回路２１を制御する（ステップＳ１３）。これに応じて、ＯＳＤ回路２１は、視聴可能時間帯設定画面を生成する。そして、映像合成部２３は、生成された視聴可能時間帯設定画面と放送の映像とを重畳させて、モニタ４０に表示させる。
【００４９】
図５は、この発明の実施の形態に従う視聴可能時間帯設定画面の一例を示す表示画面図である。
【００５０】
図５を参照して、視聴可能時間帯設定画面には、上部右側に「平日」「休日」の設定区分切換操作部、中央部に「０：００〜１：００」から「２３：００〜２４：００」までの時間帯設定操作部、および、中央部右下に「設定終了」の設定終了操作部の各操作部が表示される。
【００５１】
「平日」「休日」の設定区分切換操作部は、視聴可能時間帯を設定する区分を切換えるための操作部である。ユーザがリモコン４２の方向キーを操作することによって、指示される設定区分切換操作部が切換わる。そして、ユーザが所望する設定区分を示す設定区分切換操作部が指示されている状態で、ユーザがリモコン４２の「設定」キーを操作することによって、指示されている設定区分切換操作部が示す設定区分の視聴可能時間帯設定画面に切換わる。また、切換えられた設定区分を示す設定区分切換操作部が、その設定区分に設定されていることを示す態様、この実施の形態においては、ハッチングされた状態で表示される。
【００５２】
この実施の形態においては、設定区分は、「平日」および「休日」である。つまり、平日および休日ごとの視聴可能時間帯を設定することができる。しかし、設定区分は、これに限定されず、他の区分、たとえば、曜日ごとの区分であってもよい。
【００５３】
また、「０：００〜１：００」から「２３：００〜２４：００」までの時間帯設定操作部は、視聴可能時間帯を設定するための操作部である。ユーザがリモコン４２の方向キーを操作することによって、指示される時間帯設定操作部が切換わる。そして、ユーザが所望する時間帯を示す時間帯設定操作部が指示されている状態で、ユーザがリモコン４２の「設定」キーを操作することによって、指示されている時間帯設定操作部の選択／非選択が切換わる。
【００５４】
また、選択された時間帯を示す時間帯設定操作部が、その時間帯が選択されていることを示す態様、この実施の形態においては、ハッチングされた状態で表示される。図５では、設定区分が「平日」の視聴可能時間帯として「６：００〜７：００」「７：００〜８：００」「１９：００〜２０：００」「２０：００〜２１：００」「２１：００〜２２：００」「２２：００〜２３：００」の６つの時間帯が選択されていることが示される。
【００５５】
図２に戻って、制御部１０は、視聴可能時間帯の入力が受付けられたか否かを判断する（ステップＳ１４）。ここでは、図５の時間帯設定操作部の選択／非選択が切換わったときに、制御部１０は、視聴可能時間帯の入力が受付けられたと判断する。
【００５６】
視聴可能時間帯の入力が受付けられたと判断した場合（ステップＳ１４においてＹＥＳの場合）、制御部１０は、入力された内容を視聴可能時間帯情報として記憶する（ステップＳ１５）。
【００５７】
つまり、時間帯設定操作部が「選択」に切換えられた場合、制御部１０は、そのときの設定区分と、その時間帯設定操作部が示す時間帯とを対応付けて、視聴可能時間帯情報としてメモリ１０ｂに記憶する。また、時間帯設定操作部が「非選択」に切換えられた場合、制御部１０は、そのときの設定区分のその時間帯設定操作部が示す時間帯に対応する視聴可能時間帯情報を、メモリ１０ｂから削除する。
【００５８】
なお、この実施の形態においては、１時間単位で視聴可能時間帯を設定できるようにしたが、これに限定されず、１時間より長い時間単位、たとえば、２時間単位で視聴可能時間帯を設定できるようにしてもよいし、１時間より短い時間単位、たとえば、３０分単位で視聴可能時間帯を設定できるようにしてもよい。
【００５９】
図５に戻って、設定終了操作部は、視聴可能時間帯の設定を終了させるための操作部である。ユーザがリモコン４２の方向キーを操作することによって、指示される操作部が切換わる。そして、設定終了操作部が指示されている状態で、ユーザがリモコン４２の「設定」キーを操作することによって、視聴可能時間帯の設定が終了する。
【００６０】
図２に戻って、制御部１０は、視聴可能時間帯の設定の終了の入力が受付けられたか否かを判断する（ステップＳ１６）。ここでは、図５の設定終了操作部が指示されている状態で、「設定」キーが操作されたときに、制御部１０は、視聴可能時間帯の設定の終了の入力が受付けられたと判断する。
【００６１】
視聴可能時間帯の設定の終了の入力が受付けられていないと判断した場合（ステップＳ１６においてＮＯの場合）、制御部１０は、実行する処理をステップＳ１４の処理に戻す。一方、視聴可能時間帯の設定の終了の入力が受付けられたと判断した場合（ステップＳ１６においてＹＥＳの場合）、制御部１０は、実行する処理をステップＳ２１の処理に進める。
【００６２】
ステップＳ１１からステップＳ１６までの処理が実行されることによって、視聴可能時間帯が設定されていない場合、または、ユーザが視聴可能時間帯の設定を希望する場合に、視聴可能時間帯設定画面が表示されて、ユーザが所望する視聴可能時間帯が設定される。
【００６３】
次に、制御部１０は、現在から所定期間の視聴予定番組が登録済みか否かを判断する（ステップＳ２１）。所定期間は、１週間であってもよいし、１ヶ月であってもよい。視聴予定番組が登録済みと判断した場合（ステップＳ２１においてＹＥＳの場合）、制御部１０は、リモコン４２の「番組登録」キーが操作されたか否かを判断する（ステップＳ２２）。「番組登録」キーが操作されていないと判断した場合（ステップＳ２２においてＮＯの場合）、制御部１０は、実行する処理をステップＳ５１の処理に進める。
【００６４】
視聴予定番組が登録済みでないと判断した場合（ステップＳ２１においてＮＯの場合）、または、「番組登録」キーが操作されたと判断した場合（ステップＳ２２においてＹＥＳの場合）、制御部１０は、現在の登録モードがオート登録モードであるか否かを判断する（ステップＳ２３）。
【００６５】
登録モードとは、視聴予定番組を登録するときの方式をいい、オート登録モードとマニュアル登録モードがある。制御部１０は、メモリ１０ｂの所定の領域に現在の登録モードを示すフラグを用意しておくことにより、現在の登録モードがオート登録モードであるか否かを判断する。
【００６６】
オート登録モードとは、ユーザの好みのジャンル（映画、ニュース、スポーツなど）や、ユーザが所望するキーワード（人名、地名、固有名詞など）や、ユーザが視聴を予定している連載番組などの予め登録された情報に基づいて、自動的に、番組を抽出して、抽出した番組を視聴予定番組として登録するモードをいう。
【００６７】
マニュアル登録モードとは、予め登録された情報に関係なく、ユーザが所望する番組を視聴予定番組として登録するモードをいう。
【００６８】
現在の登録モードがオート登録モードでないと判断した場合（ステップＳ２３においてＮＯの場合）、制御部１０は、サブルーチンとして、マニュアル登録処理を実行する（ステップＳ３０）。
【００６９】
図３は、この発明の実施の形態に従うマニュアル登録処理の流れを示すフローチャートである。
【００７０】
図３を参照して、制御部１０は、その日の視聴可能時間帯の番組情報を抽出して、抽出した番組情報を表示するよう、ＯＳＤ回路２１を制御する（ステップＳ３１）。これに応じて、ＯＳＤ回路２１は、視聴番組設定画面を生成する。そして、映像合成部２３は、生成された視聴番組設定画面と放送の映像とを重畳させて、モニタ４０に表示させる。
【００７１】
図６は、この発明の実施の形態に従う視聴番組設定画面の一例を示す表示画面図である。
【００７２】
図６を参照して、視聴番組設定画面には、番組表、番組表の日付、日付繰上操作部、日付繰下操作部、および、設定終了操作部が表示される。番組表の日付は、画面の上部に、たとえば、「１１月２２日（月）」と表示される。
【００７３】
日付繰上操作部は、表示する番組表の日付を前の日に変更するための操作部であり、画面では下部に「前の日」と表示される。日付繰下操作部は、表示する番組表の日付を次の日に変更するための操作部であり、画面では下部に「次の日」と表示される。
【００７４】
ユーザがリモコン４２の方向キーを操作することによって、指示される操作部を日付繰上操作部または日付繰下操作部に切換える。そして、日付繰上操作部または日付繰下操作部が指示されている状態で、ユーザがリモコン４２の「設定」キーを操作することによって、指示されている操作部に応じて、前の日または次の日の視聴予定番組設定画面に切換わる。
【００７５】
番組表は、チャンネル番号が縦軸、視聴可能時間帯が横軸とした表である。番組表には、視聴予定番組を設定するための視聴予定番組設定操作部が表示される。視聴予定番組設定操作部には、番組表の日付で示される日付の番組であって、その視聴予定番組設定操作部の位置に対応するチャンネル番号および視聴可能時間帯の番組の情報が表示される。
【００７６】
たとえば、チャンネル番号が６ｃｈで７時台に対応する視聴予定番組設定操作部には、番組のジャンルを示す情報「ＮＥＷＳ」、および、番組の名称を示す情報「Ｑ」が、番組情報として表示される。また、番組が複数の時間帯に跨っている場合、たとえば、チャンネル番号が２ｃｈで１９時台から２０時台に跨っている場合、番組の情報が複数の時間帯に跨って、ＳＰＯＲＴＳ「Ｅ」と表示される。
【００７７】
ユーザがリモコン４２の方向キーを操作することによって、指示される視聴予定番組設定操作部が切換わる。そして、ユーザが所望する番組を示す視聴予定番組設定操作部が指示されている状態で、ユーザがリモコン４２の「設定」キーを操作することによって、指示されている視聴予定番組設定操作部の選択／非選択が切換わる。
【００７８】
また、選択された番組を示す視聴予定番組設定操作部が、その番組が選択されていることを示す態様、この実施の形態においては、ハッチングされた状態で表示される。図６では、１１月２２日（月）の視聴予定番組として、６時台の３ｃｈのＮＥＷＳ「Ｍ」の前半、７時台の５ｃｈのＮＥＷＳ「Ｑ」、１９時台の４ｃｈのＮＥＷＳ「Ｉ」、２０時台の２ｃｈのＳＰＯＲＴＳ「Ｅ」、２１時台から２２時台までの５ｃｈのＭＯＶＩＥ「Ｃ」が選択されていることが示される。
【００７９】
このように、視聴番組設定画面にはユーザが設定した視聴可能時間帯の番組のみ表示されるので、視聴予定番組の登録候補をユーザに関係するものだけに制限することができる。このため、効率よく視聴予定番組を選択して登録することが可能となる。
【００８０】
図３に戻って、制御部１０は、視聴予定番組の入力が受付けられたか否かを判断する（ステップＳ３２）。ここでは、図６の視聴予定番組設定操作部の選択／非選択が切換わったときに、制御部１０は、視聴予定番組の入力が受付けられたと判断する。
【００８１】
視聴予定番組の入力が受付けられたと判断した場合（ステップＳ３２においてＹＥＳの場合）、制御部１０は、入力された内容を視聴予定番組情報として記憶する（ステップＳ３３）。
【００８２】
つまり、視聴予定番組設定操作部が「選択」に切換えられた場合、制御部１０は、そのときの番組表の日付と、その視聴予定番組設定操作部が示す番組の情報とを対応付けて、視聴予定番組情報としてメモリ１０ｂに記憶する。また、視聴予定番組設定操作部が「非選択」に切換えられた場合、制御部１０は、そのときの番組表の日付のその視聴予定番組設定操作部が示す番組の情報に対応する視聴予定番組情報を、メモリ１０ｂから削除する。
【００８３】
なお、この実施の形態においては、１時間単位で視聴予定番組を設定できるようにしたが、これに限定されず、たとえば、１分単位で視聴予定番組を設定できるようにしてもよい。
【００８４】
また、図６で示した視聴番組設定画面でおおまかに視聴予定番組を設定して、さらに時間的に詳細に設定できる画面を表示して、たとえば１分単位など、詳細に視聴予定番組を設定できるようにしてもよい。
【００８５】
このように、段階的な設定画面を設けることによって、ユーザのニーズに応じて、おおまかに視聴予定番組を設定したり、詳細に視聴予定番組を設定したりすることができるので、視聴予定番組の設定において多様なユーザのニーズに応えることができる。
【００８６】
図６に戻って、設定終了操作部は、視聴予定番組の設定を終了させるための操作部であり、画面では下部に「設定終了」と表示される。ユーザがリモコン４２の方向キーを操作することによって、指示される操作部が切換わる。そして、設定終了操作部が指示されている状態で、ユーザがリモコン４２の「設定」キーを操作することによって、視聴予定番組の設定が終了する。
【００８７】
図３に戻って、制御部１０は、視聴予定番組の設定の終了の入力が受付けられたか否かを判断する（ステップＳ３４）。ここでは、図６の設定終了操作部が指示されている状態で、「設定」キーが操作されたときに、制御部１０は、視聴予定番組の設定の終了の入力が受付けられたと判断する。
【００８８】
視聴予定番組の設定の終了の入力が受付けられていないと判断した場合（ステップＳ３４においてＮＯの場合）、制御部１０は、実行する処理をステップＳ３２の処理に戻す。一方、視聴予定番組の設定の終了の入力が受付けられたと判断した場合（ステップＳ３４においてＹＥＳの場合）、制御部１０は、このマニュアル登録処理を終了し、実行する処理を図２の視聴予定番組登録表示処理に戻す。
【００８９】
図２に戻って、現在の登録モードがオート登録モードであると判断した場合（ステップＳ２３においてＹＥＳの場合）、制御部１０は、サブルーチンとして、オート登録処理を実行する（ステップＳ４０）。
【００９０】
図４は、この発明の実施の形態に従うオート登録処理の流れを示すフローチャートである。
【００９１】
図４を参照して、制御部１０は、所定期間の視聴可能時間帯の番組情報を、メモリ１０ｂに記憶されたＥＰＧデータから抽出する（ステップＳ４１）。次に、制御部１０は、抽出した番組情報から所定条件を満たすものを抽出する（ステップＳ４２）。
【００９２】
所定条件とは、ユーザによって予め登録された条件であって、たとえば、ユーザの好みのジャンル（映画、ニュース、スポーツなど）や、ユーザが所望するキーワード（人名、地名、固有名詞など）や、ユーザが視聴を予定している連載番組などを示す条件である。
【００９３】
そして、制御部１０は、抽出した番組情報を視聴予定番組情報としてメモリ１０ｂに記憶する（ステップＳ４３）。その後、制御部１０は、実行する処理を図２の視聴予定番組登録表示処理に戻す。
【００９４】
図２に戻って、マニュアル登録処理（ステップＳ３０）、または、オート登録処理（ステップＳ４０）の後、制御部１０は、実行する処理をステップＳ５１の処理に進める。
【００９５】
ステップＳ２１からステップＳ４０までの処理が実行されることによって、視聴予定番組が設定されていない場合、または、ユーザが視聴予定番組の設定を希望する場合に、ユーザが所望する番組、または、ユーザが予め登録した条件に従った番組が、視聴予定番組として設定される。
【００９６】
次に、制御部１０は、リモコン４２の「予定表示」キーが操作されたか否かを判断する（ステップＳ５１）。「予定表示」キーが操作されていないと判断した場合（ステップＳ５１においてＮＯの場合）、制御部１０は、実行する処理をステップＳ６１に進める。
【００９７】
「予定表示」キーが操作されたと判断した場合（ステップＳ５１においてＹＥＳの場合）、制御部１０は、現在時刻が予め設定された視聴可能時間帯に含まれるか否かを判断する（ステップＳ５２）。
【００９８】
現在時刻が視聴可能時間帯に含まれると判断した場合（ステップＳ５２においてＹＥＳの場合）、現在時刻が含まれる視聴可能時間帯の視聴予定番組をメモリ１０ｂから読み出して、視聴予定番組表示画面を表示するようＯＳＤ回路２１を制御する（ステップＳ５３）。これに応じて、ＯＳＤ回路２１は、視聴予定番組表示画面を生成する。そして、映像合成部２３は、生成された視聴予定番組表示画面と放送の映像とを重畳させて、モニタ４０に表示させる。その後、制御部１０は、実行する処理をステップＳ６１に進める。
【００９９】
一方、現在時刻が視聴可能時間帯に含まれないと判断した場合（ステップＳ５２においてＮＯの場合）、制御部１０は、現在時刻から所定時間内の番組情報を、メモリ１０ｂに記憶されたＥＰＧデータから抽出する（ステップＳ５４）。次に、制御部１０は、抽出した番組情報から所定条件を満たすものを抽出する（ステップＳ５５）。所定条件は、図４で説明したものと同様であるので、説明は繰返さない。
【０１００】
そして、制御部１０は、抽出した番組情報を視聴予定番組表示画面として表示するようＯＳＤ回路２１を制御する（ステップＳ５６）。これに応じて、ＯＳＤ回路２１は、視聴予定番組表示画面を生成する。そして、映像合成部２３は、生成された視聴予定番組表示画面と放送の映像とを重畳させて、モニタ４０に表示させる。その後、制御部１０は、実行する処理をステップＳ６１に進める。
【０１０１】
図７は、この発明の実施の形態に従う視聴予定番組表示画面の一例を示す表示画面図である。
【０１０２】
図７を参照して、この視聴予定番組表示画面は、図２のステップＳ５３またはステップＳ５６で表示される画面である。視聴予定番組表示画面には、現在日時、視聴予定番組表、表示終了操作部が表示される。現在日時は、画面の上部に、たとえば、「１１月２２日（月）１９：１０」と表示される。
【０１０３】
視聴予定番組表は、チャンネル番号が縦軸、時間帯が横軸とした表である。視聴予定番組表には、１１月２２日（月）の１９時台からの視聴予定番組として、１９時台の４ｃｈのＮＥＷＳ「Ｉ」、２０時台の２ｃｈのＳＰＯＲＴＳ「Ｅ」の後半、２１時台から２２時台までの５ｃｈのＭＯＶＩＥ「Ｃ」が、視聴予定番組であることを示すハッチングされた状態で表示される。
【０１０４】
表示終了操作部は、視聴予定番組の表示を終了させるための操作部であり、画面では右下に「表示終了」と表示される。ユーザがリモコン４２の方向キーを操作することによって、表示終了操作部が指示されている状態で、ユーザがリモコン４２の「設定」キーを操作することによって、視聴予定番組の表示が終了する。
【０１０５】
図２に戻って、ステップＳ５１からステップＳ５６までの処理が実行されることによって、ユーザが視聴予定番組の表示を希望した場合に、現在時刻が予め設定した視聴可能時間帯であるか否かに応じて、予め登録された視聴予定番組、または、現在時刻から所定時間のユーザが予め登録した条件に従った番組が、視聴予定番組として表示される。
【０１０６】
このように、現在時刻がユーザが設定した視聴可能時間帯であるか否かを判断して、動作を切替えるようにしたので、時間帯に応じて、ユーザが予め登録したものであるユーザの意思をよく反映した視聴予定番組表を表示したり、ユーザが予め登録した条件に従ったものであるユーザの意思をある程度反映した視聴予定番組表を表示したりすることができる。
【０１０７】
その結果、状況に応じて、ユーザの所望する番組情報を容易に表示することが可能となる。
【０１０８】
また、ユーザが視聴する確率が高い時間帯である視聴可能時間帯の視聴予定番組を予めメモリ１０ｂに記憶しておくので、そのような時間帯であっても視聴予定番組をそのときに検索するものと比較して、迅速に視聴予定番組を表示させることができる。
【０１０９】
また、ユーザが視聴する確率が低い時間帯である視聴可能時間帯以外の時間帯の視聴予定番組は、メモリ１０ｂに記憶しないので、メモリの容量を不要に消費しないようにすることができる。
【０１１０】
次に、制御部１０は、メモリ１０ｂに記憶された視聴予定番組のうち、現在時刻から所定時間内に開始する視聴予定番組があるか否かを判断する（ステップＳ６１）。所定時間は、たとえば、５分である。現在時刻から所定時間内に開始する視聴予定番組がないと判断した場合（ステップＳ６１においてＮＯの場合）、制御部１０は、この視聴予定番組登録表示処理を終了して、実行する処理を呼出元の処理に戻す。
【０１１１】
一方、現在時刻から所定時間内に開始する視聴予定番組があると判断した場合（ステップＳ６１においてＹＥＳの場合）、つまり、その視聴予定番組が開始する所定時間前である場合、制御部１０は、視聴予定番組が開始する旨の警告の表示である視聴予定番組開始警告表示を表示するよう、ＯＳＤ回路２１を制御する（ステップＳ６２）。これに応じて、ＯＳＤ回路２１は、視聴予定番組開始警告表示を生成する。そして、映像合成部２３は、生成された視聴予定番組開始警告表示と放送の映像とを重畳させて、モニタ４０に表示させる。
【０１１２】
図８は、この発明の実施の形態に従う視聴予定番組開始警告表示の一例を示す表示画面図である。
【０１１３】
図８を参照して、視聴予定番組開始警告表示は、画面の右下に、たとえば、２１：００の５分前の２０：５５に、「２１：００から５ｃｈのＭＯＶＩＥ「Ｃ」視聴予定です」のように表示される。
【０１１４】
なお、ここでは、視聴予定番組開始警告表示をＯＳＤ表示するようにしたが、これに限定されず、ＰＩＰ（Picture In Picture）表示するようにしてもよいし、表示でなく、効果音や音楽やメッセージをスピーカ５０から流すようにしてもよいし、リモコン４２を振動させるようにしてもよいし、テレビ１やリモコン４２のＬＥＤ（Light Emitting Diode）ランプを点滅させるようにしてもよい。
【０１１５】
図２に戻って、ステップＳ６２の後、制御部１０は、この視聴予定番組登録表示処理を終了して、実行する処理を呼出元の処理に戻す。
【０１１６】
ステップＳ６１からステップＳ６２までの処理が実行されることによって、視聴予定番組が開始される所定時間前に視聴予定番組開始警告が表示される。
【０１１７】
以上説明したように、この実施の形態におけるテレビ１の制御部１０によって、ユーザが放送を視聴可能な視聴可能時間帯の入力がリモコン４２から受付けられ（図２のステップＳ１３、ステップＳ１４、および、図５）、受付けられた視聴可能時間帯がメモリ１０ｂに記憶され（図２のステップＳ１５）、記憶された視聴可能時間帯のユーザの視聴予定番組がメモリ１０ｂに記憶され（図３のステップＳ３３、および、図４のステップＳ４３）、記憶された視聴可能時間帯のいずれかに現在時刻が含まれるか否かが判断され（図２のステップＳ５２）、含まれると判断された場合、記憶された視聴予定番組のうち現在時刻を含む視聴可能時間帯の視聴予定番組を示す情報がモニタ４０に表示される（図２のステップＳ５３、および、図７）。
【０１１８】
このため、テレビ１によって、ユーザが放送を視聴可能な視聴可能時間帯のいずれかに現在時刻が含まれる場合、予め記憶された視聴予定番組のうち現在時刻を含む視聴可能時間帯の視聴予定番組を示す情報がモニタ４０に表示される。その結果、ユーザの所望する番組情報を容易に表示することができる。
【０１１９】
また、テレビ１の制御部１０によって、現在時刻から所定時間内の番組を示す情報が抽出され（図２のステップＳ５４）、視聴可能時間帯のいずれにも現在時刻が含まれないと判断された場合、抽出された情報がモニタ４０に表示される（図２のステップＳ５６、および、図７）。
【０１２０】
このため、テレビ１の制御部１０によって、ユーザが放送を視聴可能な視聴可能時間帯のいずれにも現在時刻が含まれない場合、現在時刻から所定時間内の番組を示す情報がモニタ４０に表示される。視聴可能時間帯以外の時間帯は、ユーザが特に番組を視聴する予定がなかった時間帯である。このような場合は、視聴する番組を決定するために、ユーザは現在時刻から適当な時間内の番組を示す情報を所望する。したがって、予め登録した視聴可能時間帯のいずれにも現在時刻が含まれない場合であっても、テレビ１によって、ユーザの所望する番組情報を容易に表示させることができる。
【０１２１】
また、テレビ１の制御部１０によって、メモリ１０ｂに記憶された視聴可能時間帯に含まれる番組を示す情報が抽出され（図３のステップＳ３１）、抽出された情報がモニタ４０に表示され（図３のステップＳ３１）、表示された情報で示される番組のうちからユーザの視聴予定の番組の入力がリモコン４２から受付けられ（図３のステップＳ３２）、受付けられた番組が視聴予定番組としてメモリ１０ｂに記憶される（図３のステップＳ３３）。
【０１２２】
このため、ユーザは、全番組でなくて、視聴可能時間帯に含まれる番組のうちから視聴予定番組を入力することができる。その結果、テレビ１の制御部１０によって、効率よく視聴予定番組を記憶させることができる。
【０１２３】
また、テレビ１の制御部１０によって、メモリ１０ｂに記憶された視聴可能時間帯に含まれる番組を示す視聴可能時間帯番組情報が抽出され（図４のステップＳ４１）、抽出された視聴可能時間帯番組情報で示される番組のうちから所定条件を満たす番組情報が抽出され（図４のステップＳ４２）、抽出された番組情報で示される番組が視聴予定番組としてメモリ１０ｂに記憶される（図４のステップＳ４３）。
【０１２４】
このため、所定条件を予め定めておくことで、テレビ１の制御部１０によって、自動的に視聴予定番組が記憶される。その結果、テレビ１の制御部１０によって、効率よく視聴予定番組を記憶させることができる。
【０１２５】
また、テレビ１の制御部１０によって、メモリ１０ｂに記憶された視聴予定番組のうちいずれかが開始する所定時間前に、この視聴予定番組が開始する旨の警告がモニタ４０にＯＳＤ表示されることによりユーザに報知される（図２のステップＳ６１、および、ステップＳ６２）。
【０１２６】
このため、ユーザは、視聴予定番組が所定時間後に開始することを知ることができる。その結果、テレビ１の制御部１０によって、ユーザが所望する番組が開始することを容易に知らせることができる。
【０１２７】
なお、この実施の形態においては、テレビ１などの放送受像装置について説明したが、テレビ１の制御部１０を、放送受像装置の制御装置の発明として捉えることができる。また、このような制御部を備えたテレビチューナなどの放送受信装置、および、ビデオデッキやＤＶＤ（Digital Versatile Disk）レコーダやハードディスクレコーダなどの放送録画装置の発明として捉えることができる。
【０１２８】
また、図２から図４までで説明した処理を実行する放送受像装置や放送受信装置や放送録画装置の制御部による制御方法、および、放送受像装置や放送受信装置や放送録画装置の制御部により実行される制御プログラムとして、発明を捉えることができる。
【０１２９】
この実施の形態においては、視聴可能時間帯設定画面、視聴番組設定画面、および、視聴予定番組表示画面をＯＳＤ表示させるようにしたが、ＰＩＰ表示させるようにしてもよい。
【０１３０】
また、放送受信装置や放送録画装置などのモニタ４０など放送を表示するための表示装置を内蔵していない装置にこの発明を適用する場合には、視聴可能時間帯設定画面、視聴番組設定画面、および、視聴予定番組表示画面を表示させるための信号を外部に出力できるように構成すればよい。
【０１３１】
あるいは、放送に付帯する情報、たとえば、受信チャンネル番号や現在時刻などの情報を表示するための放送受信装置や放送録画装置などに内蔵されるＬＣＤ（Liquid Crystal Display）などの表示装置に視聴可能時間帯設定画面、視聴番組設定画面、および、視聴予定番組表示画面を表示させるようにしてもよい。
【０１３２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１３３】
【図１】この発明の実施の形態に従うテレビの構成の概略を示すブロック図である。
【図２】この発明の実施の形態に従う視聴予定番組登録表示処理の流れを示すフローチャートである。
【図３】この発明の実施の形態に従うマニュアル登録処理の流れを示すフローチャートである。
【図４】この発明の実施の形態に従うオート登録処理の流れを示すフローチャートである。
【図５】この発明の実施の形態に従う視聴可能時間帯設定画面の一例を示す表示画面図である。
【図６】この発明の実施の形態に従う視聴番組設定画面の一例を示す表示画面図である。
【図７】この発明の実施の形態に従う視聴予定番組表示画面の一例を示す表示画面図である。
【図８】この発明の実施の形態に従う視聴予定番組開始警告表示の一例を示す表示画面図である。
【符号の説明】
【０１３４】
１  放送受像装置、１０  制御部、１０ａ  ＣＰＵ、１０ｂ  メモリ、１６  チューナ、２０  復調器、２１  ＯＳＤ回路、２３  映像合成部、２６  リモコン受信部、３０  アンテナ、４０  モニタ、４２  リモコン、５０  スピーカ。
【図１】
2006217153.tif 000003
【図２】
2006217153.tif 000004
【図３】
2006217153.tif 000005
【図４】
2006217153.tif 000006
【図５】
2006217153.tif 000007
【図６】
2006217153.tif 000008
【図７】
2006217153.tif 000009
【図８】
2006217153.tif 000010